(57)【要約】【課題】煩雑な処理を行なうことなく撮影対象物を評価して付加画像を合成するカメラシステムを実現する。【解決手段】位置情報と方位情報とを配信する配信端末装置２００と、撮影の際に配信端末情報を受信して撮影位置および撮影方向とともに画像データに関連付けて記録するカメラ１００と、複数種の付加画像を記憶し、読み取った画像データに関連付けられた撮影情報と配信端末情報とに基づいて付加画像を選択し、画像データに選択された付加画像を合成した印刷データを生成する合成装置３００とを備えたカメラシステム。【選択図】図１
2009164817.tif 000002
【特許請求の範囲】
【請求項１】
自装置の位置情報を取得する位置情報取得手段と、自装置が向いている方位情報を取得する方位情報取得手段と、取得した位置情報と方位情報とを配信端末情報として配信する配信手段とを備えた配信端末装置と、
撮影位置の位置情報を取得する位置情報取得手段と、撮影方向の方位情報を取得する方位情報取得手段と、画像データを生成する撮影手段と、前記撮影手段による撮影の際に前記配信端末装置が配信する配信端末情報を受信する受信手段と、前記取得した位置情報と方位情報とを撮影情報として、前記受信した配信端末情報とともに前記画像データに関連付けて記録する記録手段とを備えたカメラと、
複数種の付加画像を記録した記憶手段と、前記記録された画像データを読み取る読取手段と、前記読み取った画像データに関連付けられた前記撮影情報と前記配信端末情報とから算出される撮影位置と配信端末装置との距離および相対方向とから、前記配信端末装置が配置された物の正面が前記画像データに写っているか否かを所定の基準により判別し、判別結果に応じて付加画像を選択する選択手段と、前記画像データに前記選択された付加画像を合成した印刷データを生成する印刷データ生成手段とを備えた合成装置と、
を備えたことを特徴とするカメラシステム。
【請求項２】
撮影の際に、自装置の位置情報と自装置が向いている方位情報とを配信端末情報として配信する配信端末装置から前記配信端末情報を受信し、撮影位置の位置情報と撮影方向の方位情報とを撮影情報として、前記受信した配信端末情報とともに撮影に係る画像データに関連付けて記録するカメラによって記録された画像データを読み取る読取手段と、
複数種の付加画像を記録した記憶手段と、
前記読み取った画像データに関連付けられた前記撮影情報と前記配信端末情報とから算出される撮影位置と配信端末装置との距離および相対方向とから、前記配信端末装置が配置された物の正面が前記画像データに写っているか否かを所定の基準により判別し、判別結果に応じて付加画像を選択する選択手段と、
前記画像データに前記選択された付加画像を合成した印刷データを生成する印刷データ生成手段とを備えたことを特徴とする合成装置。
【発明の詳細な説明】
【技術分野】
【０００１】
本発明は、撮影者が撮影した画像データに特殊効果を施して印刷するカメラシステムおよび合成装置に関する。
【背景技術】
【０００２】
遊園地やテーマパークなどの施設内において、来場客が撮影した画像にフレーム等の付加画像を合成して印刷するサービスが知られている。このようなサービスの付加価値を高めるために特許文献１には、カメラが撮影実行の度に位置情報をサーバに送信し、送られた位置情報に基づいてサーバが付加画像をランダムに選択しカメラに送信することで、来場客に意外性の高いアミューズメント性を提供することが記載されている。
【特許文献１】特開２００４−２４８０３７号公報
【発明の開示】
【発明が解決しようとする課題】
【０００３】
しかしながら、一般に撮影画像で重要なのは撮影位置ではなく何が撮影されているかであると考えられる。このため、撮影された物に基づいて付加画像を合成することが望ましい。ところが、撮影画像から撮影された物を判別することは困難であり処理が煩雑になってしまうのに加え、精度も期待できない。
【０００４】
本発明はこのような状況を鑑みてなされたものであり、煩雑な処理を行なうことなく撮影対象物を評価して付加画像を合成するのに好適なカメラシステムおよび合成装置を提供することを目的とする。
【課題を解決するための手段】
【０００５】
上記課題を解決するため、本発明に係るカメラシステムは、自装置の位置情報を取得する位置情報取得手段と、自装置が向いている方位情報を取得する方位情報取得手段と、取得した位置情報と方位情報とを配信端末情報として配信する配信手段とを備えた配信端末装置と、撮影位置の位置情報を取得する位置情報取得手段と、撮影方向の方位情報を取得する方位情報取得手段と、画像データを生成する撮影手段と、前記撮影手段による撮影の際に前記配信端末装置が配信する配信端末情報を受信する受信手段と、前記取得した位置情報と方位情報とを撮影情報として、前記受信した配信端末情報とともに前記画像データに関連付けて記録する記録手段とを備えたカメラと、複数種の付加画像を記録した記憶手段と、前記記録された画像データを読み取る読取手段と、前記読み取った画像データに関連付けられた前記撮影情報と前記配信端末情報とから算出される撮影位置と配信端末装置との距離および相対方向とから、前記配信端末装置が配置された物の正面が前記画像データに写っているか否かを所定の基準により判別し、判別結果に応じて付加画像を選択する選択手段と、前記画像データに前記選択された付加画像を合成した印刷データを生成する印刷データ生成手段とを備えた合成装置と、を備えたことを特徴とする。
【０００６】
上記課題を解決するため、本発明に係る合成装置は、撮影の際に、自装置の位置情報と自装置が向いている方位情報とを配信端末情報として配信する配信端末装置から前記配信端末情報を受信し、撮影位置の位置情報と撮影方向の方位情報とを撮影情報として、前記受信した配信端末情報とともに撮影に係る画像データに関連付けて記録するカメラによって記録された画像データを読み取る読取手段と、複数種の付加画像を記録した記憶手段と、前記読み取った画像データに関連付けられた前記撮影情報と前記配信端末情報とから算出される撮影位置と配信端末装置との距離および相対方向とから、前記配信端末装置が配置された物の正面が前記画像データに写っているか否かを所定の基準により判別し、判別結果に応じて付加画像を選択する選択手段と、前記画像データに前記選択された付加画像を合成した印刷データを生成する印刷データ生成手段とを備える。
【発明の効果】
【０００７】
本発明によれば、配信端末装置からの位置情報および方位情報と、カメラの撮影時の位置情報および方位情報に基づいて撮影対象物が写っているかどうかを判別して合成する付加画像を選択するため、煩雑な処理を行なうことなく撮影対象物を評価して付加画像を合成するのに好適なカメラシステムおよび合成装置を実現することができる。
【発明を実施するための最良の形態】
【０００８】
以下、図面を参照して、本発明の好適な実施形態を例示的に詳しく説明する。但し、本実施形態に記載されている構成要素の相対配置や表示図面等は、特に決定的な記載がない限り、本発明の範囲をそれらのみに限定するものではない。
【０００９】
図１は、本実施形態に係るカメラシステムの概要を示す図である。本図に示すように、カメラシステムは施設７００内において効果的に適用することができる。施設７００としては、遊園地、テーマパーク等の複数の撮影対象物が存在しているアミューズメント施設が代表的であるが、これらに限定されるものではない。
【００１０】
施設７００には、撮影対象物の例として建造物Ａ６００ａ、アトラクションＢ６００ｂ、キャラクタＣ６００ｃが存在している。なお、これらの撮影対象物の例を撮影対象物６００という場合もある。撮影対象物はそれぞれ向き・位置が定められる。ここで、向きはその撮影対象物の正面方向とする。ただし、撮影対象物によっては向きが問題にならないものもある。建造物Ａ６００ａは、位置・方向とも固定された撮影対象物である。アトラクションＢ６００ｂは、種類により位置・方向とも変化するもの、位置は固定され方向が変化するもの、位置は変化するが方向は固定されるものがある撮影対象物である。キャラクタＣ６００ｃは位置・方向とも自在に変化する撮影対象物である。
【００１１】
各撮影対象物６００には、配信端末装置２００が配置されている。すなわち、建造物Ａ６００ａには配信端末装置２００ａが配置され、アトラクションＢ６００には配信端末装置２００ｂが配置され、キャラクタＣ６００ｃには配信端末装置２００ｃが配置されている。各配信端末装置２００は正面方向が設定されており、対応する撮影対象物６００の正面方向と一致するように固定して配置される。なお、図中の撮影対象物６００に付された矢印は、撮影対象物６００および配信端末装置２００の正面方向を示している。配信端末装置２００は位置を検出する位置検出機能と自装置が向いている方向を検出する方位検出機能を備えており、自装置の識別情報と方位情報と位置情報とを含む配信端末情報をあらかじめ定められた方式の無線信号により配信している。
【００１２】
施設７００の来場者であるユーザは、カメラ１００を用いて施設７００内の撮影を行なう。カメラ１００には、通常の撮影機能に加え、撮影位置と撮影方向とを検出する機能と、配信端末装置２００が配信する配信端末情報を受信して、撮影位置および撮影方向の撮影情報とともに画像データと関連付けて可搬型の記憶装置５００に記録する機能を備えている。図中のカメラ１００に付された矢印は撮影方向を示している。
【００１３】
施設７００内にはサービスセンタ６２０が設けられている。サービスセンタ６２０には、合成装置３００と、プリンタ３２０とが備えられている。合成装置３００は、複数種類のフレームを記憶しており、記憶装置５００から画像データを読込んで、その画像データに関連付けられた配信端末情報および撮影情報に応じたフレームを選択し、選択されたフレームが合成された画像の印刷データを生成しプリンタ３２０に出力する。
【００１４】
図２は、カメラ１００の構成を示すブロック図である。本図に示すようにカメラ１００は、処理装置・メモリ等を有し、カメラ１００における各種処理を制御する制御部１１と、レンズ・ＣＣＤ等を有し撮影を実行する撮影機構部１２と、液晶画面等の表示装置１３と、可搬型の記憶装置５００に画像データ等を書き込む画像情報記録部１４と、配信端末装置２００からの配信端末情報を受信する無線受信部１５と、衛星からの電波を受信して自装置の位置を検出するＧＰＳ１６と、自装置の向き（撮影方向）を検出する方位センサ１７とを備えている。
【００１５】
制御部１１には、撮影機構部１２が撮影した画像に対する処理を行なう画像処理部１１ａが含まれる。なお、カメラ１００に合成装置３００との通信機能を持たせて記憶装置５００を介さずに直接情報のやり取りを行えるようにしてもよい。また、通信は有線無線を問わない。
【００１６】
図３は、配信端末装置２００の構成を示すブロック図である。本図に示すように配信端末装置２００は、配信端末装置２００における処理を制御する制御部２１と、配信端末情報を無線信号で配信する無線配信部２２と、衛星からの電波を受信して自装置の位置を検出するＧＰＳ２３と、自装置の向きを検出する方位センサ２４とを備えている。ただし、位置が変化しない撮影対象物６００に配置される配信端末装置２００には、ＧＰＳ２３を備える必要はなく、設定された自装置の位置情報を記憶しておけばよい。また、方向が変化しない撮影対象物６００に配置される配信端末装置２００には、方位センサ２４を備える必要はなく、設定された自装置の方向を記憶しておけばよい。
【００１７】
配信端末装置２００には識別子が付されており、制御部２１に記録されている。この識別子により、どの撮影対象物６００に配置された配信端末装置２００であるかを特定することができるようになっている。配信端末装置２００が配信端末情報を配信する範囲は、配信端末装置２００が配置されている撮影対象物６００の撮影可能範囲程度の距離に設定することが望ましい。例えば、撮影対象物６００が大きくて遠くからでも撮影可能な場合には配信範囲を広く設定し、撮影対象物６００が小さくて近くでなければ撮影できない場合には配信範囲を狭く設定する。もちろん、すべての配信端末装置２００について一律に設定してもよいし、可変としてもよい。配信端末装置２００が配信に用いる無線方式は、カメラ１００の無線受信部１５にも採用されており、配信端末装置２００の配信範囲内にあるカメラ１００は、その配信端末装置２００が配信する配信端末情報を受信することが可能である。
【００１８】
図４は、合成装置３００の構成を示すブロック図である。本図に示すように合成装置３００は、処理装置・メモリ等を有し、合成装置３００における各種処理を制御する制御部３１と、可搬型の記憶装置５００から画像データ等を読込む画像情報読取部３２と、画像データに合成するフレーム画像等を格納するフレーム情報格納部３３と、生成した印刷データをプリンタ３２０に出力する印刷データ出力部３４とを備えている。なお、合成装置３００にカメラ１００との通信機能を持たせて記憶装置５００を介さずに直接情報のやり取りを行えるようにしてもよい。また、通信は有線無線を問わない。
【００１９】
制御部３１には、画像データに関連付けられた配信端末情報および撮影情報に応じたフレームを選択するフレーム処理部３１ａ、選択されたフレームと画像データを合成した印刷データを生成する印刷データ生成部３１ｂが含まれる。
【００２０】
本実施形態において、フレーム情報格納部３３が格納するフレームは、汎用フレーム、撮影対象物対応フレーム、特別フレームの３種類に大別される。汎用フレームは、画像データに撮影対象物が写っていないと判断されたり、写っていても遠かったり正面を向いていないと判断された場合に用いるフレームであり、例えば、施設７００に関連する一般的なオリジナルフレームとすることができる。汎用フレームは、複数個用意してもよい。
【００２１】
撮影対象物対応フレームは、画像データに撮影対象物の正面が写っていると判断された場合に用いるフレームであり、その撮影対象物に関連したフレームとすることがき、撮影対象物毎に用意しておくことが望ましい。さらに同一の撮影対象物について複数個用意してもよい。
【００２２】
特別フレームは、撮影対象物対応フレームを用いる場合であっても、さらに、特別な条件を満たしたときに用いるプレミアム的なフレームである。特別な条件は、例えば、特定の撮影時刻に限定したり、特定の撮影地に限定したり、特定の撮影対象物に限定したり、所定の確率を満たした場合等とすることができる。なお、１日の使用回数の上限を定めるようにしてもよい。このような容易に取得することができない特別なフレームを用いることによりエンタテインメント性を一層高めることができる。また、特別フレームは撮影対象物共通としてもよいし撮影対象物毎に用意してもよい。もちろん、フレーム情報格納部３３が格納するフレームの種類は３種類に限られない。例えば、特別フレームは用いることなく、汎用フレームと撮影対象物対応フレームの２種類としてもよい。
【００２３】
また、合成装置３００は、配信端末装置２００の識別子と、その配信端末装置２００が配置された撮影対象物６００との対応表を記憶しており、配信端末装置２００の識別子から撮影対象物６００を特定することができるようになっている。
【００２４】
次に、本実施形態における各装置の処理の流れについて説明する。まず図５のフローチャートを参照して配信端末装置２００の処理を説明する。図５（ａ）に示すように、配信端末装置２００は、定期的または不定期な間隔に、あるいは所定のトリガにより位置情報を取得する（Ｓ１０１）。位置情報の取得はＧＰＳ２３を用いて行なうことができる。また、方位情報を取得する（Ｓ１０２）。方位情報の取得は方位センサ２４を用いて行なうことができる。そして、取得した位置情報と方位情報と自装置の識別子とを含む配信端末情報を、無線配信部２２を通じて配信する（Ｓ１０３）。
【００２５】
なお、位置、方向とも変わらない撮影対象物６００に配置された配信端末装置２００であれば、図５（ｂ）に示すように位置情報（Ｓ１０１ａ）および方位情報（Ｓ１０２ａ）は始めに１度だけ取得して、配信端末情報（Ｓ１０３ａ）を繰り返し配信するようにしてもよい。この場合、固定値である位置情報および方位情報は、ＧＰＳ２３および方位センサ２４を用いずに、あらかじめ記録された値を読み出して取得することができる。
【００２６】
また、方向は変わるが位置は変わらない撮影対象物６００に配置された配信端末装置２００であれば、図５（ｃ）に示すように位置情報は始めに１度だけ取得して（Ｓ１０１ｂ）、方位情報の取得（Ｓ１０２ｂ）と配信端末情報の配信（Ｓ１０３ｂ）を繰り返すようにしてもよい。この場合、固定値である位置情報は方位センサ２４を用いずに、あらかじめ記録された値を読み出して取得することができる。
【００２７】
次に、カメラ１００の処理について説明する。図６は、カメラ１００の処理を説明するためのフローチャートである。本図に示すように、カメラ１００は、ユーザからの撮影指示を受け付けるのを待つ（Ｓ２０１）。撮影指示は具体的には図示しないシャッタボタンの押下とすることができる。ユーザから撮影指示を受け付けると（Ｓ２０１：Ｙｅｓ）、カメラ１００は撮影を実行して画像データを記憶装置５００に記録する（Ｓ２０２）。
【００２８】
撮影の実行の際、ＧＰＳ１６を用いて撮影場所の位置情報を取得する（Ｓ２０３）。また、方位センサ１７を用いて自装置の向き、すなわち、撮影方向を取得する（Ｓ２０４）。
【００２９】
さらに、配信端末情報を受信可能かどうかを判断する（Ｓ２０５）。その結果、配信端末情報が受信不可能なとき（Ｓ２０５：Ｎｏ）、すなわち、カメラ１００がいずれの配信端末装置２００の配信範囲内にないときは、再度、撮影指示の受付を待つ（Ｓ２０１）。
【００３０】
一方、配信端末情報が受信可能なとき（Ｓ２０５：Ｙｅｓ）、すなわち、カメラ１００がいずれかの配信端末装置２００の配信範囲内にいるときは、受信した配信端末情報、すなわち、配信端末装置２００の位置情報と方位情報と識別子と、自装置が取得した撮影情報、すなわち、撮影場所の位置情報と撮影方向とを画像データに関連付けて記憶装置５００に記録する（Ｓ２０６）。配信端末情報および撮影情報と画像データとの関連付けは、例えば、画像データのＥｘｉｆ情報の所定の項目に配信端末情報の各情報と、撮影情報の各情報とを記録することにより行なうことができる。なお、複数の配信端末装置２００から配信端末情報を受信した場合には、それぞれの配信端末情報を画像データに関連付けるものとする。ただし、受信強度、受信タイミング等にしたがっていずれかの配信端末装置２００を選択して配信端末情報を画像データに関連付けてもよい。
【００３１】
次に、合成装置３００の処理について説明する。図７は、合成装置３００の処理の概要について説明するためのフローチャートである。合成装置３００は、記憶装置５００を読み込むと、処理対象の画像データを特定し、画像データを読込む（Ｓ３０１）。なお、処理対象の画像データの特定は、サムネイル画像を表示してユーザから選択を受け付けたり、記録されている画像データを順番に処理対象として扱うようにすることができる。
【００３２】
画像データを読込むと、読込んだ画像データに関連付けられている配信端末情報および撮影情報に基づいてフレーム画像を設定する（Ｓ３０２）。そして、画像データに設定されたフレームを合成した画像の印刷データを生成して（Ｓ３０３）、プリンタ３２０に印刷データを出力する（Ｓ３０４）。この印刷データに基づいてプリンタ３２０が印刷を実行することでフレームが合成された写真を得ることができる。
【００３３】
ここで、処理（Ｓ３０２）におけるフレーム画像の設定について説明する。図８は、フレーム画像の設定処理について説明するためのフローチャートである。フレーム画像の設定処理では、処理対象の画像データに配信端末情報が関連付けられているかどうかを判断する（Ｓ４０１）。その結果、関連付けられていない場合（Ｓ４０１：Ｎｏ）には、撮影対象物６００が写っていないものと判断して、汎用フレームを選択する（Ｓ４０８）。
【００３４】
一方、配信端末情報が関連付けられている場合（Ｓ４０１：Ｙｅｓ）には、配信端末情報を抽出し、さらに、撮影情報も抽出する（Ｓ４０２）。そして、抽出した情報から配信端末装置２００とカメラ１００との位置関係、具体的には、距離と対面関係とを算出する。ここで、距離は配信端末情報に含まれる配信端末装置２００の位置情報と撮影情報に含まれる撮影時の位置情報とから算出することができる。
【００３５】
また、対面関係は、画像データに撮影対象物６００に写っているかどうかを判断するものであり、配信端末情報に含まれる配信端末装置２００の方位情報と撮影情報に含まれる撮影時の方位情報とから算出する。対面関係であるので、一方の方位を１８０度反転させ、他方の方位との差を算出することで、求めることができる。すなわち、この差が０度であれば、撮影対象物６００とカメラ１００とが向き合っており、撮影対象物６００の正面方向から撮影したことになり、差が大きくなるにつれて斜め方向から撮影したことになる。
【００３６】
位置関係を算出すると、算出された距離が所定距離であるかどうかを判断する（Ｓ４０４）。配信端末装置２００から所定距離以上離れている場合は、その配信端末装置２００が配置された撮影対象物６００が写っていないものと判断するためである。このため、所定距離内ではない場合（Ｓ４０４：Ｎｏ）には、汎用フレームを選択する（Ｓ４０８）。ただし、配信端末情報を受信したできた段階で撮影可能な範囲内にあるものとして、距離の算出および判定を省くようにしてもよい。
【００３７】
所定距離内である場合（Ｓ４０４：Ｙｅｓ）には、さらに配信端末装置２００が配置された撮影対象物６００と撮影時のカメラ１００とが向き合っているかどうかを判断する（Ｓ４０５）。この判定は、処理（Ｓ４０３）で算出した対面関係を示す一方の方位の１８０度反転と他方の方位との差が所定値以内かどうかで判断することができる。
【００３８】
この結果、撮影対象物６００と撮影時のカメラ１００とが向き合っていないと判定された場合（Ｓ４０５：Ｎｏ）には、配信端末装置２００が配置された撮影対象物６００が写っていないものと判断して汎用フレームを選択する（Ｓ４０８）。
【００３９】
一方、撮影対象物６００と撮影時のカメラ１００とが向き合っていると判定された場合（Ｓ４０５：Ｙｅｓ）には、いずれかの撮影対象物６００の正面が画像データに写っているものと判断し、写っている撮影対象物６００を特定する（Ｓ４０６）。写っている撮影対象物６００は、配信端末情報に含まれる配信端末装置２００の識別子から特定することができる。
【００４０】
そして、特別フレームを用いるかどうかを判定するために、あらかじめ定められた特別条件を満たすかどうかを判断する（Ｓ４０７）。特別な条件は上述のように、例えば、特定の撮影時刻に限定したり、特定の撮影地に限定したり、特定の撮影対象物に限定したり、所定の確率を満たした場合等とすることができる。
【００４１】
特別な条件を満たさない場合（Ｓ４０７：Ｎｏ）には、特定された撮影対象物６００に対応した撮影対象物対応フレームを選択する（Ｓ４１０）。一方、特別な条件を満たした場合（Ｓ４０７：Ｙｅｓ）には、プレミアム的な意味合いの特別フレームを選択する（Ｓ４１０）。
【００４２】
図９は、処理（Ｓ４０７）の特別条件として特定時間内の撮影であることを条件とした場合の処理を示すフローチャートである。特別フレームを選択する特定時間は、あらかじめ定めておく。定められた特定時間はユーザに知らせない方がエンタテインメント性を高めることができる。
【００４３】
特別条件として特定時間内の撮影であることを条件として用いた場合、処理対象画像データの撮影時刻を取得する（Ｓ５０１）。撮影時刻は画像データのＥｘｉｆ情報から抽出してもよいが、カメラ１００の内蔵時計が正確である保証はなく、また、特別フレームを欲するユーザによる時刻データ改竄を防ぐため、配信端末装置２００からの配信端末情報に時刻情報を含めておき、取得した配信端末情報の時刻情報から撮影時刻を取得することが望ましい。
【００４４】
そして、取得した撮影時刻が特定時間内に含まれるかどうかを判断する（Ｓ５０２）。その結果、特定時間内に含まれる場合（Ｓ５０２：Ｙｅｓ）は特別条件を満たすと判定し（Ｓ５０３）、特定時間内に含まれない場合（Ｓ５０２：Ｎｏ）は特別条件を満たさないと判定する（Ｓ５０４）。
【００４５】
図１０は、撮影対象物対応フレームの合成について説明するための図である。ここでは、簡単のため、特別フレームについては考慮しないものとする。画像３５０は、配信端末装置２００が配置された撮影対象物であるキャラクタ６００ｘに対応したフレームの例を示している。ここで、画像３５２に示すようにキャラクタ６００ｘの正面が写った画像については、画像３５４に示すようにキャラクタ６００ｘに対応したフレーム画像３５０が合成された画像が生成される。
【００４６】
図１１は、汎用フレームの合成について説明するための図である。画像３６０は、撮影対象物の正面が写っていない場合に用いられる汎用フレームの例を示している。ここで、画像３６２に示すように建造物６００ｙが写っているが正面ではない画像については、画像３６４に示すように汎用フレーム画像３６０が合成された画像が生成される。
【００４７】
なお、カメラ１００が撮影を行なった場所が、複数の配信端末装置２００の配信範囲内である場合、例えば図１２に示すように、カメラ１００が、配信端末装置２００ｘの配信範囲２２０ｘと配信端末装置２００ｙの配信範囲２２０ｙとが重なっている領域で撮影を行なった場合には、双方の配信情報を受信し記録することになる。
【００４８】
このような場合、合成装置３００は、あらかじめ定めた基準に従って、いずれの配信端末装置２００を選択してフレームの設定を行なうものとする。あらかじめ定めた基準は、例えば、（１）より向かい合っている方、（２）より距離が近い方、（３）距離と方向とを所定の評価式で評価し、評価値が高い方等とすることができる。ただし、配信情報を受信できた配信端末装置２００のすべてについてフレームを設定し、フレームを重ね合わせるようにしてもよい。
【００４９】
また、カメラ１００に傾斜角度センサを備えさせて、傾斜角度を考慮して撮影対象物６００が画像データに写っているかどうかを判断するようにしてもよい。また、カメラ１００の撮影時の焦点距離を考慮して撮影対象物６００が画像データに写っているかどうかを判断するようにしてもよい。これにより、撮影対象物６００が画像データに写っているかどうかの判別精度を高めることができる。
【図面の簡単な説明】
【００５０】
【図１】本実施形態に係るカメラシステムの概要を示す図である。
【図２】カメラの構成を示すブロック図である。
【図３】配信端末装置の構成を示すブロック図である。
【図４】合成装置の構成を示すブロック図である。
【図５】配信端末装置の処理を説明するためのフローチャートである。
【図６】カメラの処理を説明するためのフローチャートである。
【図７】合成装置の処理の概要について説明するためのフローチャートである。
【図８】フレーム画像の設定処理について説明するためのフローチャートである。
【図９】特別条件として特定時間内の撮影であることを条件とした場合の処理を示すフローチャートである。
【図１０】撮影対象物対応フレームの合成について説明するための図である。
【図１１】汎用フレームの合成について説明するための図である。
【図１２】カメラが撮影を行なった場所が、複数の配信端末装置の配信範囲内である場合を示す図である。
【符号の説明】
【００５１】
１１…制御部、１１ａ…画像処理部、１２…撮影機構部、１３…表示装置、１４…画像情報記録部、１５…無線受信部、１６…ＧＰＳ、１７…方位センサ、２１…制御部、２２…無線配信部、２３…ＧＰＳ、２４…方位センサ、３１…制御部、３１ａ…フレーム処理部、３１ｂ…印刷データ生成部、３２…画像情報読取部、３３…フレーム情報格納部、３４…印刷データ出力部、１００…カメラ、２００…配信端末装置、３００…合成装置、３２０…プリンタ、５００…記憶装置、６００…撮影対象物、６２０…サービスセンタ、７００…施設
【図１】
2009164817.tif 000003
【図２】
2009164817.tif 000004
【図３】
2009164817.tif 000005
【図４】
2009164817.tif 000006
【図５】
2009164817.tif 000007
【図６】
2009164817.tif 000008
【図７】
2009164817.tif 000009
【図８】
2009164817.tif 000010
【図９】
2009164817.tif 000011
【図１０】
2009164817.tif 000012
【図１１】
2009164817.tif 000013
【図１２】
2009164817.tif 000014